(57)【要約】【課題】塩化ビニル袋、ポリ袋、またはアルミ袋の、手による口開けを容易に行える袋の口開け補助具の提供。【解決手段】袋の口開け補助具Ａは、多数の突起１０を上面に設けたゴムシート１１を平板状の台座１２の上面に接着して補助具基体１とし、台座１２の下面に両面テープ１３を貼着している。ゴムシート１１の上面に載せたポリ袋３に、指４０を押し付け、前後左右に擦るだけでポリ袋３の口３０が開くので、袋の口開け補助具Ａは、使い勝手が良く、作業台２に設置しておけば、誰にでも簡単に利用することができる。【選択図】図１
2009018837.tif 000002
【特許請求の範囲】
【請求項１】
塩化ビニル袋、ポリ袋、またはアルミ袋の、手による口開けを容易にするための袋の口開け補助具であって、
補助具基体の上面に滑り止め手段を設け、作業台に設置するための固定手段を前記補助具基体の下面に設けたことを特徴とする袋の口開け補助具。
【請求項２】
塩化ビニル袋、ポリ袋、またはアルミ袋の、手による開口を容易にするための袋の口開け補助具であって、
台座の上面に軟質シートを固着して補助具基体とし、
前記軟質シートの上面に多数の突起を設けて滑り止め手段とし、
作業台に設置するために前記台座の下面へ設ける固定手段を、粘着テープ、接着剤、面ファスナー、または磁石で構成したことを特徴とする袋の口開け補助具。
【請求項３】
前記台座の上面を円弧状に形成したことを特徴とする請求項２に記載の袋の口開け補助具。
【請求項４】
重なって作業台上に展開したラッピングフィルムの、手による引き剥がしを容易にするためのフィルム引き剥がし補助具であって、
円弧状に形成した台座の下面に軟質シートを固着して補助具基体とし、
前記軟質シートの下面に多数の突起を設けたことを特徴とするフィルム引き剥がし補助具。
【請求項５】
フィルムや接着テープを剥がすための引き剥がし補助具であって、
ヘラ状に形成される前部と、上面が緩い傾斜面とされる中部と、上面が円弧状に形成される後部とを有し、基体下面が平坦とされる台座の、前記後部の円弧状面に、上面に多数の突起を設けた軟質シートを固着して補助具基体としたことを特徴とする引き剥がし補助具。
【発明の詳細な説明】
【技術分野】
【０００１】
本発明は、袋の口開け補助具、およびフィルム引き剥がし補助具に関する。
【背景技術】
【０００２】
例えば、トレーに透明蓋を被せたパック食品を買った客は、移送中の透明蓋の外れを防止するため、レジ清算後に、ドラムから引き出して分離したポリ袋の口を開けてパック食品をポリ袋内へ入れる。しかし、ポリ袋の口は、ポリエチレンどうしがくっついているので、簡単に開けることができない。
【０００３】
買物袋・ごみ袋の口開け装置は、買物袋・ごみ袋の結びひも部分にすべり止めを設けている（特許文献１）。
レジ袋開け具は、摩擦力の強い軟質材料のシートを折り曲げてスナップボタンで接合し、キーホルダーを取り付けてなる（特許文献２）。
袋の開口器は、Ｕ字状の握り部の各先端に、内側面に滑り止め部を設けた両端部を斜めに形成してなる（特許文献３）。
【特許文献１】特開平８−２６２９９号公報
【特許文献２】特開２００７−３０９８２号公報
【特許文献３】特開２０００−１９０９２７号公報
【発明の開示】
【発明が解決しようとする課題】
【０００４】
特許文献１の買物袋・ごみ袋の口開け装置は、買物袋やごみ袋自体に加工を施すため、袋のコストアップを招く。
特許文献２のレジ袋開け具は、両手を使って、シート間にレジ袋を挟む必要があり、袋開け作業が面倒であるとともに、持ち去られ易い。なお、このレジ袋開け具をレジ横の作業台に設置した場合、買物客は使い方を理解し難いので、余り利用されない。
特許文献３の袋の開口器は、握り部に力を加え、滑り止め部同士を近づかせて両端部で袋を挟む必要があり、使い勝手が悪い。なお、この袋の開口器をレジ横の作業台に設置した場合、買物客は、両端部を曲げたり、両端部でパン等を摘む等の誤った使用がなされる虞がある。
【０００５】
本発明の第１の目的は、塩化ビニル袋、ポリ袋、またはアルミ袋の、手による口開けを容易に行える袋の口開け補助具の提供にある。
本発明の第２の目的は、重なって作業台上に展開したラッピングフィルムの、手による引き剥がしを容易に行えるフィルム引き剥がし補助具の提供にある。
【課題を解決するための手段】
【０００６】
（請求項１について）
袋の口開け補助具は、補助具基体の上面に滑り止め手段を設け、作業台に設置するための固定手段を補助具基体の下面に設けてなる。
下面に設けた固定手段により、補助具基体を作業台面に固定し、袋の口開け補助具を作業台面に設置する。
【０００７】
口がある方が補助具基体へ向く様に、袋（塩化ビニル袋、ポリ袋、またはアルミ袋）を、滑り止め手段を設けた補助具基体の上面に載せる。
指や手のひらを袋に押し付け、前後左右に擦る。補助具基体の上面に設けた滑り止め手段により、下側の袋素材は滑り難いが、上側の袋素材は下側の袋素材上を良く滑るため、上下の袋素材間に位置ずれが生じ、袋の口が開く。
袋の口開け補助具は、片手で、袋（塩化ビニル袋、ポリ袋、またはアルミ袋）の口開けを容易に行うことができる。
【０００８】
袋の口開け補助具は、補助具基体の上面に載せた袋に、指や手のひらを押し付け、前後左右に擦るだけで袋の口が開くので使い勝手が良く、作業台に設置しておけば、誰にでも簡単に利用することができる。
袋の口開け補助具は、補助具基体の下面に固定手段を設けて作業台に設置する構造であるので、補助具の持ち去りを防止できる。
【０００９】
（請求項２について）
袋の口開け補助具は、台座の上面に軟質シートを固着して補助具基体とし、軟質シートの上面に多数の突起を設けて滑り止め手段とし、作業台に設置するための固定手段を台座の下面に設けてなる。なお、上記固定手段を、粘着テープ、接着剤、面ファスナー、または磁石で構成する。
【００１０】
口がある方が補助具基体へ向く様に、袋（塩化ビニル袋、ポリ袋、またはアルミ袋）を、多数の突起を設けて滑り止め手段とした軟質シートの上面に載せる。
指や手のひらを袋に押し付け、前後左右に擦る。多数の突起（滑り止め手段）により、下側の袋素材は滑り難いが、上側の袋素材は下側の袋素材上を良く滑るため、上下の袋素材間に位置ずれが生じ、袋の口が開く。
袋の口開け補助具は、片手で、袋（塩化ビニル袋、ポリ袋、またはアルミ袋）の口開けを容易に行うことができる。
【００１１】
袋の口開け補助具は、補助具基体の上面に載せた袋に、指や手のひらを押し付け、前後左右に擦るだけで袋の口が開くので使い勝手が良く、作業台に設置しておけば、誰にでも簡単に利用することができる。
【００１２】
袋の口開け補助具は、台座の下面に固定手段を設けて作業台に設置する構造である。
・固定手段が粘着テープの場合には、袋の口開け補助具を作業台に容易に設置することができる。なお、台座の粘着テープに対応する粘着テープを作業台上にも取り付ける。
・固定手段が接着剤の場合には、袋の口開け補助具を作業台に設置した後は、簡単には外すことができないので、補助具の持ち去りを確実に防止できる。
【００１３】
・固定手段が面ファスナーの場合には、袋の口開け補助具の作業台への着脱を容易に行うことができる。なお、台座に取り付けた面ファスナーに対応する面ファスナーを作業台上にも取り付ける。
・固定手段が磁石の場合には、袋の口開け補助具の作業台への着脱を容易に行うことができる。なお、台座に取り付けた磁石に対応する磁石を作業台上にも取り付けるか、作業台の台座取付部位を鉄にする。
【００１４】
（請求項３について）
台座の上面を円弧状に形成すれば、作業台上面と台座上面との段差が緩和されるので、軟質シートの上面（補助具基体の上面）に載せた袋に、指や手のひらを袋に押し付け前後左右に擦る作業を円滑に行うことができるので使い勝手が良い。
【００１５】
（請求項４について）
重なって作業台上に展開したラッピングフィルムの引き剥がしを行うためのフィルム引き剥がし補助具は、円弧状に形成した台座の下面に軟質シートを固着して補助具基体とし、軟質シートの下面に多数の突起を設けてなる。
【００１６】
台座を利き手で持ち、ラッピングフィルムの重なった部分に軟質シートを押し当てて掻く。
重なった部分のラッピングフィルムに多数の突起が引っ掛かって重なった部分が巻き上がるので、重なった部分を引き剥がすことができる。
フィルム引き剥がし補助具は、重なって作業台上に展開したラッピングフィルムを容易に引き剥がすことができる。
【００１７】
（請求項５について）
フィルムや接着テープを剥がすための引き剥がし補助具は、ヘラ状に形成される前部と、上面が緩い傾斜面とされる中部と、上面が円弧状に形成される後部とを有し、基体下面が平坦とされる台座の、前記後部の円弧状面に、上面に多数の突起を設けた軟質シートを固着して補助具基体としている。
【００１８】
例えば、作業台上に展開したラッピングフィルムを剥がす場合には、台座を利き手で持ち、作業台上に展開したラッピングフィルムの重なった部分に、後部上面の軟質シートを押し当てて掻く。
【００１９】
重なった部分のラッピングフィルムに多数の突起が引っ掛かって重なった部分が巻き上がるので、重なった部分を引き剥がすことができる。
引き剥がし補助具は、重なって作業台上に展開したラッピングフィルムを容易に引き剥がすことができる。
【００２０】
物品に接着した接着テープやトレイに接着した食品フィルムを引き剥がす場合には、ヘラ状に形成される前部を、接着テープや食品フィルムに押し当てて押し込めば、それらを剥がすことができる。
【発明を実施するための最良の形態】
【００２１】
袋の口開け補助具は、多数の突起を設けたゴムシートを台座の上面に固着し、台座の下面に磁石を取り付けてなり、レジ後方の作業台（鉄製）上に設置する。
買物したパック食品を入れるためのポリ袋を、袋の口開け補助具のゴムシートの上面に載せる。
【００２２】
指や手のひらを袋に押し付け、前後左右に擦る。ゴムシートの多数の突起により、下側の袋素材は滑り難いが、上側の袋素材は下側の袋素材上を良く滑るため、上下の袋素材間に位置ずれが生じ、袋の口が開く。
この袋の口開け補助具は、片手で、ポリ袋の口開けを容易に行うことができる。
【実施例１】
【００２３】
本発明の実施例１（請求項１、２に対応）を図１に基づいて説明する。
袋の口開け補助具Ａは、多数の突起１０（滑り止め手段）を上面に設けたゴムシート１１を平板状の台座１２（金属製）の上面に接着して補助具基体１とし、台座１２の下面に両面テープ１３（粘着テープ）を貼着して固定手段としている。
この袋の口開け補助具Ａは、レジ後方の作業台２上に貼着され、客が買物したパック食品を入れるためのポリ袋３の口開けの補助に用いる。
【００２４】
この袋の口開け補助具Ａは、下記の様にして使用する。
（１）口３０が補助具基体１へ向く向きにして、補助具基体１のゴムシート１１の上面にポリ袋３を載せる。
（２）指４０や手のひらをポリ袋３に押し付け、前後左右に擦る。
ゴムシート１１の上面に設けた多数の突起１０により、下側の袋素材３１は滑り難いが、上側の袋素材３２は下側の袋素材３１上を良く滑るため、上下の袋素材３２、３１間に位置ずれが生じ、ポリ袋３の口３０が開く。
【００２５】
この袋の口開け補助具Ａは、下記の利点を有する。
袋の口開け補助具Ａは、片手で、ポリ袋３の口開けを容易に行うことができる。
補助具基体１のゴムシート１１の上面に載せたポリ袋３に、指４０や手のひらを押し付け、前後左右に擦るだけでポリ袋３の口３０が開くので、袋の口開け補助具Ａは、使い勝手が良く、作業台２に設置しておけば、誰にでも簡単に利用することができる。
台座１２の下面に両面テープ１３を貼着する構造であるので、袋の口開け補助具Ａを作業台２の使い易い位置に簡単に設置することができる。
【実施例２】
【００２６】
つぎに、本発明の実施例２（請求項１、２に対応）を、図２の（ａ）に基づいて説明する。
袋の口開け補助具Ｂは、多数の突起１０（滑り止め手段）を上面に設けたゴムシート１１を平板状の台座４１（木製）の上面に接着して補助具基体４とし、台座４１の下面に面ファスナー４２を取り付けて固定手段としている。
この袋の口開け補助具Ｂは、台座４１の面ファスナー４２に対応する面ファスナー４３を取り付けたレジ後方の作業台２上に設置され、客が買物したパック食品を入れるためのポリ袋の口開けの補助に用いる。
【００２７】
この袋の口開け補助具Ｂは、下記の利点を有する。
袋の口開け補助具Ｂは、片手で、ポリ袋の口開けを容易に行うことができる。
補助具基体４のゴムシート１１の上面に載せたポリ袋に、指や手のひらを押し付け、前後左右に擦るだけでポリ袋の口が開くので、袋の口開け補助具Ｂは、使い勝手が良く、作業台２に設置しておけば、誰にでも簡単に利用することができる。
袋の口開け補助具Ｂは、面ファスナー４２、４３で固定する構造であるので、作業台２の使い易い位置に簡単に設置することができる。
【実施例３】
【００２８】
つぎに、本発明の実施例３（請求項１、２に対応）を、図２の（ｂ）に基づいて説明する。
袋の口開け補助具Ｃは、多数の突起１０（滑り止め手段）を上面に設けたゴムシート１１を平板状の台座４１（木製）の上面に接着して補助具基体４とし、台座４１の下面に板状の磁石４４を取り付けて固定手段としている。
この袋の口開け補助具Ｃは、台座４１の磁石４４に対応する磁石４５を取り付けたレジ後方の作業台２上に設置され、客が買物したパック食品を入れるためのポリ袋の口開けの補助に用いる。
【００２９】
この袋の口開け補助具Ｃは、下記の利点を有する。
袋の口開け補助具Ｃは、片手で、ポリ袋の口開けを容易に行うことができる。
補助具基体４のゴムシート１１の上面に載せたポリ袋に、指や手のひらを押し付け、前後左右に擦るだけでポリ袋の口が開くので、袋の口開け補助具Ｃは、使い勝手が良く、作業台２に設置しておけば、誰にでも簡単に利用することができる。
袋の口開け補助具Ｃは、磁石４４、４５で固定する構造であるので、作業台２の使い易い位置に簡単に設置することができる。
【実施例４】
【００３０】
つぎに、本発明の実施例４（請求項１、２に対応）を、図２の（ｃ）に基づいて説明する。
袋の口開け補助具Ｄは、多数の突起１０（滑り止め手段）を上面に設けたゴムシート１１を平板状の台座４１（木製）の上面に接着して補助具基体４とし、台座４１の下面および側面に接着剤４６を塗布して固定手段としている。
この袋の口開け補助具Ｄは、レジ後方の作業台２の凹部２１内に配設され、客が買物したパック食品を入れるためのポリ袋の口開けの補助に用いる。
【００３１】
この袋の口開け補助具Ｄは、下記の利点を有する。
袋の口開け補助具Ｄは、片手で、ポリ袋の口開けを容易に行うことができる。
補助具基体４のゴムシート１１の上面に載せたポリ袋に、指や手のひらを押し付け、前後左右に擦るだけでポリ袋の口が開くので、袋の口開け補助具Ｄは、使い勝手が良く、作業台２に設置しておけば、誰にでも簡単に利用することができる。
袋の口開け補助具Ｄは、接着剤４６で、作業台２の凹部２１内に固定する構造であるので、出っ張りが少ないとともに、持ち去りを防止できる。
【実施例５】
【００３２】
つぎに、本発明の実施例５（請求項１に対応）を、図３の（ａ）に基づいて説明する。  袋の口開け補助具Ｅは、多数の突起５０（滑り止め手段）を上面に設けた板状のゴム板５（補助具基体）の下面に面ファスナー４２を取り付けて固定手段としている。
この袋の口開け補助具Ｅは、ゴム板５の下面の面ファスナー４２に対応する面ファスナー４３を取り付けたレジ後方の作業台２上に設置され、客が買物したパック食品を入れるためのポリ袋の口開けの補助に用いる。
【００３３】
この袋の口開け補助具Ｅは、下記の利点を有する。
袋の口開け補助具Ｅは、片手で、ポリ袋の口開けを容易に行うことができる。
ゴム板５の上面に載せたポリ袋に、指や手のひらを押し付け、前後左右に擦るだけでポリ袋の口が開くので、袋の口開け補助具Ｅは、使い勝手が良く、作業台２に設置しておけば、誰にでも簡単に利用することができる。
袋の口開け補助具Ｅは、面ファスナー４２、４３で固定する構造であるので、作業台２の使い易い位置に簡単に設置することができる。
袋の口開け補助具Ｅは、台座を用いず、ゴム板５を補助具基体としているので、部品点数を少なくできるとともに、台座と軟質シートとが分離するという現象も起きない。
【実施例６】
【００３４】
つぎに、本発明の実施例６（請求項１に対応）を、図３の（ｂ）に基づいて説明する。  袋の口開け補助具Ｆは、多数の突起５０（滑り止め手段）を上面に設けた板状のゴム板５（補助具基体）の下面に磁石４４を取り付けて固定手段としている。
この袋の口開け補助具Ｆは、ゴム板５の下面の磁石４４に対応する磁石４５を取り付けた、レジ後方の作業台２上に取り付けられ、客が買物したパック食品を入れるためのポリ袋の口開けの補助に用いる。
【００３５】
この袋の口開け補助具Ｆは、下記の利点を有する。
袋の口開け補助具Ｆは、片手で、ポリ袋の口開けを容易に行うことができる。
ゴム板５の上面に載せたポリ袋に、指や手のひらを押し付け、前後左右に擦るだけでポリ袋の口が開くので、袋の口開け補助具Ｆは、使い勝手が良く、作業台２に設置しておけば、誰にでも簡単に利用することができる。
袋の口開け補助具Ｆは、磁石４４、４５で固定する構造であるので、作業台２の使い易い位置に簡単に設置することができる。
袋の口開け補助具Ｆは、台座を用いず、ゴム板５を補助具基体としているので、部品点数を少なくできるとともに、台座と軟質シートとが分離するという現象も起きない。
【実施例７】
【００３６】
つぎに、本発明の実施例７（請求項１に対応）を、図３の（ｃ）に基づいて説明する。  袋の口開け補助具Ｇは、多数の突起５０（滑り止め手段）を上面に設けた板状のゴム板５（補助具基体）の下面および側面に接着剤４６を塗布して固定手段としている。
この袋の口開け補助具Ｇは、レジ後方の作業台２の凹部２１内に配設され、客が買物したパック食品を入れるためのポリ袋の口開けの補助に用いる。
【００３７】
この袋の口開け補助具Ｇは、下記の利点を有する。
袋の口開け補助具Ｇは、片手で、ポリ袋の口開けを容易に行うことができる。
ゴム板５の上面に載せたポリ袋に、指や手のひらを押し付け、前後左右に擦るだけでポリ袋の口が開くので、袋の口開け補助具Ｇは、使い勝手が良く、作業台２に設置しておけば、誰にでも簡単に利用することができる。
袋の口開け補助具Ｇは、接着剤４６で、作業台２の凹部２１内に固定する構造であるので、持ち去りを防止できる。
【実施例８】
【００３８】
つぎに、本発明の実施例８（請求項３に対応）を、図４の（ａ）に基づいて説明する。  袋の口開け補助具Ｈは、多数の突起６０（滑り止め手段）を上面に設けたゴムシート６１を、上面が円弧状の台座７１（プラスチック製）の上面に接着して補助具基体７とし、台座７１の下面に面ファスナー４２を取り付けて固定手段としている。
この袋の口開け補助具Ｈは、台座７１の面ファスナー４２に対応する面ファスナー４３を取り付けたレジ後方の作業台２上に設置され、客が買物したパック食品を入れるためのポリ袋の口開けの補助に用いる。
【００３９】
この袋の口開け補助具Ｈは、下記の利点を有する。
袋の口開け補助具Ｈは、片手で、ポリ袋の口開けを容易に行うことができる。
補助具基体７のゴムシート６１の上面に載せたポリ袋に、指や手のひらを押し付け、前後左右に擦るだけでポリ袋の口が開くので、袋の口開け補助具Ｈは、使い勝手が良く、作業台２に設置しておけば、誰にでも簡単に利用することができる。
【００４０】
袋の口開け補助具Ｈは、面ファスナー４２、４３で固定する構造であるので、作業台２の使い易い位置に簡単に設置することができる。
台座７１の上面が円弧状であるので、作業台２の上面と補助具基体７の上面との段差が緩和されるので、ゴムシート６１に載せた袋に、指や手のひらを袋に押し付け前後左右に擦る作業を円滑に行うことができるので使い勝手が良い。
また、台座７１の上面が円弧状であるので、上面に接着したゴムシート６１の表面も円弧状となり、水が流れ落ちるのでゴムシート６１上に水が溜まり難い。
【実施例９】
【００４１】
つぎに、本発明の実施例９（請求項３に対応）を、図４の（ｂ）に基づいて説明する。  袋の口開け補助具Ｉは、多数の突起６０（滑り止め手段）を上面に設けたゴムシート６１を、上面が円弧状の台座７１（プラスチック製）の上面に接着して補助具基体７とし、台座７１の下面に、板状の磁石４４を取り付けて固定手段としている。
この袋の口開け補助具Ｉは、台座７１の磁石４４に対応する磁石４５を取り付けたレジ後方の作業台２上に設置され、客が買物したパック食品を入れるためのポリ袋の口開けの補助に用いる。
【００４２】
この袋の口開け補助具Ｉは、下記の利点を有する。
袋の口開け補助具Ｉは、片手で、ポリ袋の口開けを容易に行うことができる。
補助具基体７のゴムシート６１の上面に載せたポリ袋に、指や手のひらを押し付け、前後左右に擦るだけでポリ袋の口が開くので、袋の口開け補助具Ｉは、使い勝手が良く、作業台２に設置しておけば、誰にでも簡単に利用することができる。
袋の口開け補助具Ｉは、磁石４４、４５で固定する構造であるので、作業台２の使い易い位置に簡単に設置することができる。
また、台座７１の上面が円弧状であるので、上面に接着したゴムシート６１の表面も円弧状となり、水が流れ落ちるのでゴムシート６１上に水が溜まり難い。
【実施例１０】
【００４３】
つぎに、本発明の実施例１０（請求項３に対応）を図４の（ｃ）に基づいて説明する。  袋の口開け補助具Ｊは、多数の突起６０（滑り止め手段）を上面に設けたゴムシート６１を、上面が円弧状の台座７１（プラスチック製）の上面に接着して補助具基体７とし、台座７１の下面および側面に接着剤４６を塗布して固定手段としている。
この袋の口開け補助具Ｊは、レジ後方の作業台２の凹部２１内に取り付けられ、客が買物したパック食品を入れるためのポリ袋の口開けの補助に用いる。
【００４４】
この袋の口開け補助具Ｊは、下記の利点を有する。
袋の口開け補助具Ｊは、片手で、ポリ袋の口開けを容易に行うことができる。
補助具基体７のゴムシート６１の上面に載せたポリ袋に、指や手のひらを押し付け、前後左右に擦るだけでポリ袋の口が開くので、袋の口開け補助具Ｊは、使い勝手が良く、作業台２に設置しておけば、誰にでも簡単に利用することができる。
袋の口開け補助具Ｊは、接着剤４６で、作業台２の凹部２１内に固定する構造であるので、出っ張りが少ないとともに、持ち去りを防止できる。
【実施例１１】
【００４５】
つぎに、本発明の実施例１１（請求項４に対応）を図５に基づいて説明する。
フィルム引き剥がし補助具Ｋは、多数の突起８０（滑り止め手段）を下面に設けたゴムシート８１を、下面が円弧状の台座８２（プラスチック製）の下面に接着して補助具基体８としている。
【００４６】
このフィルム引き剥がし補助具Ｋは、下記の様にして使用する。
台座８２を利き手で持ち、ラッピングフィルム９の重なった部分９１にゴムシート８１を押し当てて掻く。
【００４７】
このフィルム引き剥がし補助具Ｋは、下記の利点を有する。
重なった部分９１のラッピングフィルム９に多数の突起８０が引っ掛かって重なった部分９１が巻き上がるので、重なった部分９１を引き剥がすことができる。
フィルム引き剥がし補助具Ｋは、重なって作業台２上に展開したラッピングフィルム９を容易に引き剥がすことができる。
【実施例１２】
【００４８】
つぎに、本発明の実施例１１（請求項５に対応）を図６に基づいて説明する。
引き剥がし補助具Ｌは、ヘラ状に形成される前部９２と、上面が緩い傾斜面とされる中部９３と、上面が円弧状に形成される後部９４とを有し、基体下面が平坦とされる台座９５（プラスチック製）の、後部の円弧状面に、上面に多数の突起９６を設けたゴムシート９７を固着して補助具基体９８としている。
更に、側面にチェーンｋ等を取り付けるための取付部９９を突設している。
【００４９】
この引き剥がし補助具Ｌは、下記の様にして使用する。
台座９５を利き手で持ち、ラッピングフィルムの重なった部分にゴムシート９７を押し当てて掻く。
この引き剥がし補助具Ｌは、下記の利点を有する。
重なった部分のラッピングフィルムに多数の突起９６が引っ掛かって重なった部分が巻き上がるので、重なった部分を引き剥がすことができる。
引き剥がし補助具Ｌは、重なって作業台上に展開したラッピングフィルムを容易に引き剥がすことができる。
【００５０】
また、物品に接着した接着テープやトレイに接着した食品フィルムを引き剥がす場合には、ヘラ状に形成される前部９２を、接着テープや食品フィルムに押し当てて押し込めば、それらを剥がすことができる。
【図面の簡単な説明】
【００５１】
【図１】本発明の実施例１に係る袋の口開け補助具の使用方法を示す説明図である。
【図２】（ａ）は本発明の実施例２に係る袋の口開け補助具の構造を示す説明図、（ｂ）は本発明の実施例３に係る袋の口開け補助具の構造を示す説明図、（ｃ）は本発明の実施例４に係る袋の口開け補助具の構造を示す説明図である。
【図３】（ａ）は本発明の実施例５に係る袋の口開け補助具の構造を示す説明図、（ｂ）は本発明の実施例６に係る袋の口開け補助具の構造を示す説明図、（ｃ）は本発明の実施例７に係る袋の口開け補助具の構造を示す説明図である。
【図４】（ａ）は本発明の実施例８に係る袋の口開け補助具の構造を示す説明図、（ｂ）は本発明の実施例９に係る袋の口開け補助具の構造を示す説明図、（ｃ）は本発明の実施例１０に係る袋の口開け補助具の構造を示す説明図である。
【図５】本発明の実施例１１に係るフィルム引き剥がし補助具の使用方法を示す説明図である。
【図６】（ａ）は本発明の実施例１２に係る引き剥がし補助具の斜視図、（ｂ）はその引き剥がし補助具の側面図である。
【符号の説明】
【００５２】
Ａ、Ｂ、Ｃ、Ｄ、Ｅ、Ｆ、Ｇ、Ｈ、Ｉ、Ｊ  袋の口開け補助具
Ｋ  フィルム引き剥がし補助具
Ｌ  引き剥がし補助具
１、４、９８  補助具基体
２  作業台
３  ポリ袋
５  ゴム板（補助具基体）
９  ラッピングフィルム
１０、５０  突起（滑り止め手段）
１１、９７  ゴムシート（軟質シート）
１２、４１  台座
１３  両面テープ（粘着テープ、固定手段）
４０  指（手）
４２、４３  面ファスナー（固定手段）
４４、４５  磁石（固定手段）
４６  接着剤
９２  前部
９３  中部
９４  後部
９５  台座
９６  突起
【図１】
2009018837.tif 000003
【図２】
2009018837.tif 000004
【図３】
2009018837.tif 000005
【図４】
2009018837.tif 000006
【図５】
2009018837.tif 000007
【図６】
2009018837.tif 000008